(57)【要約】【課題】色再現の精度を向上させることができる色補正係数を生成する。【解決手段】色補正係数生成装置１０は、ＣＭＹ色空間を均等分割したときの第１の領域の格子点の第１の色データと、これに対応するＬａｂ色空間における第２の色データと、の第１の対応データを取得する素データ取得部１２、Ｌａｂ色空間を均等分割したときの各第２の領域の格子点の第３の色データを生成する格子点データ生成部１４、第１の対応データに基づいて各第２の領域の格子点の第３の色データに対応する、ＣＭＹ色空間における第４の色データを求める色データ演算部１６、第４の色データに基づく色票画像を生成する色票画像生成部１８、第４の色データと、生成された色票画像の出力画像を測色したＬａｂ色空間における第５の色データと、の第２の対応データに基づいて、ＣＭＹ色空間の色データを補正するための色補正係数を算出する色補正係数算出部２０を備える。【選択図】図１
2010219685.tif 000002
【特許請求の範囲】
【請求項１】
色補正対象であるデバイスの色空間である第１の色空間を複数の第１の領域に均等分割したときの各第１の領域の格子点の第１の色データと、当該第１の色データに対応する、前記第１の色空間と異なる第２の色空間における第２の色データと、の対応関係を表わす第１の対応データを取得する取得手段と、
前記第２の色空間を複数の第２の領域に均等分割したときの各第２の領域の格子点の第３の色データを生成する色データ生成手段と、
前記第１の対応データに基づいて、前記各第２の領域の格子点の第３の色データに対応する、前記第１の色空間における第４の色データを各々求める演算手段と、
前記第４の色データに基づく色票画像を生成する色票画像生成手段と、
前記第４の色データと、前記色票画像生成手段により生成された色票画像の前記色補正対象であるデバイスでの出力画像を測色した前記第２の色空間における第５の色データと、の対応関係を表わす第２の対応データに基づいて、前記第１の色空間における色データを補正するための色補正係数を算出する色補正係数算出手段と、
を備えた色補正係数生成装置。
【請求項２】
前記第２の対応データを記憶する記憶手段をさらに備え、
前記取得手段は、前記記憶手段から読み出した前記第２の対応データを前記第１の対応データとして取得する
請求項１記載の色補正係数生成装置。
【請求項３】
前記色補正係数算出手段は、前記第１の対応データ及び前記第２の対応データに基づいて、前記色補正係数を算出する
請求項１又は請求項２記載の色補正係数生成装置。
【請求項４】
前記色票画像生成手段は、前記第１の色データの色票画像をさらに生成し、
前記色補正係数算出手段は、前記第２の対応データと、前記色票画像生成手段により生成された前記第１の色票画像の前記色補正対象であるデバイスでの出力画像を測色した前記第２の色空間における第６の色データと、に基づいて、前記第１の色空間における色データを補正するための色補正係数を算出する
請求項１〜請求項３の何れか１項に記載の色補正係数生成装置。
【請求項５】
前記色票画像生成手段は、前記第１の色データと前記第４の色データとの平均データの色票画像を生成し、
前記色補正係数算出手段は、前記第４の色データと、前記色票画像生成手段により生成された色票画像の前記色補正対象であるデバイスでの出力画像を測色した前記第２の色空間における第７の色データと、の対応関係を表わす第３の対応データに基づいて、前記第１の色空間における色データを補正するための色補正係数を算出する
請求項１〜請求項４の何れか１項に記載の色補正係数生成装置。
【請求項６】
前記第２の領域の格子点の数の制限値を設定する制限値設定手段をさらに備え、
前記色データ生成手段は、前記第２の領域の格子点の数が前記制限値以下となるように、前記第２の色空間を複数の第２の領域に分割し、当該分割した各第２の領域の格子点の第３の色データを生成する
請求項１〜請求項５の何れか１項に記載の色補正係数生成装置。
【請求項７】
前記色データ生成手段は、前記第２の色データで表わされる前記第２の色空間における色域の各頂点を結ぶ線を均等分割することにより前記色域を前記複数の第２の領域に分割し、当該分割した各第２の領域の格子点の第３の色データを生成する
請求項１〜請求項６の何れか１項に記載の色補正係数生成装置。
【請求項８】
前記色データ生成手段は、前記第２の色空間の各色成分軸を均等分割することにより前記第２の色空間を前記複数の第２の領域に分割し、当該分割した各第２の領域の格子点の第３の色データを生成する
請求項１〜請求項７の何れか１項に記載の色補正係数生成装置。
【請求項９】
前記色票画像生成手段は、前記第２の色データで表わされる前記第２の色空間の色域の外郭上の外郭点に対応する前記第１の色空間における色データの色票画像をさらに生成する
請求項８記載の色補正係数生成装置。
【請求項１０】
コンピュータを、請求項１〜請求項９の何れか１項に記載の色補正係数生成装置を構成する各手段として機能させるための色補正係数生成プログラム。
【請求項１１】
前記請求項１〜請求項９の何れか１項に記載の色補正係数生成装置と、
前記色補正係数生成装置の前記色票画像生成手段により生成された色票画像を記録媒体上に形成する画像形成手段と、
を備えた画像形成装置。
【発明の詳細な説明】
【技術分野】
【０００１】
本発明は、色補正係数生成装置、色補正係数生成プログラム、及び画像形成装置に関する。
【背景技術】
【０００２】
近年、デジタルカメラやカラースキャナ、カラープリンター、カラーディスプレイ等のカラーデバイスが多く普及し、幅広く使用されてきており、色再現に対する市場要求もかなり高くなっている。特に、ＤＴＰ（Ｄｅｓｋ  Ｔｏｐ  Ｐｕｂｌｉｓｈｉｎｇ）等で使用されるシステムにおいては、その要求はかなり高く、各デバイスにおけるＣＭＳ（カラーマネージメントシステム）は、必要不可欠なものとなっている。現在では、例えばＩＣＣ（Ｉｎｔｅｒｎａｔｉｏｎａｌ  Ｃｏｌｏｒ  Ｃｏｎｓｏｒｔｉｕｍ）に代表されるカラープロファイル等によって色補正が行なわれており、色補正を行なうためのＬＵＴ（Ｌｏｏｋ  Ｕｐ  Ｔａｂｌｅ）の格子点係数を決定し、種々公知の補間処理等によって色補正がなされている。
【０００３】
プリンタなどのカラーデバイスでは、色変換、キャリブレーション、色校正等を行なう際、カラーパッチ画像（色票画像）を出力し、そのカラーパッチを測色することで、現状の機器の色再現特性となるデバイス色空間と非デバイス色空間の対応関係を示す素データを生成することが行われる。この素データを基にして、目標色への色変換係数が求められ、例えばＬＵＴなどの構成によって色変換が実行される。この素データセットは、そのデバイスの色再現範囲の特徴を示したものである必要がある。ただし、色再現範囲内にある全ての色を出力するのは非常に大きな手間と時間を要し、現実的ではないため、離散的な色配置となるカラーパッチ画像となることが一般的である。例えばプリンタの場合、Ｃ（シアン）、Ｍ（マゼンダ）、Ｙ（イエロー）の各色の軸を均等にそれぞれ８分割（９格子点）し、９×９×９＝７２９パッチのカラーパッチ画像を出力することが考えられる。このような素データを取得することによって、デバイスの色再現範囲内にある色データが満遍なく取得される。
【０００４】
このようなカラーパッチ画像の色配置に関する発明は従来から各種成されており、とりわけＣＭＹ各軸の均等分割によるカラーパッチ画像の色配置については一般的に使用されている。
【０００５】
例えば特許文献１記載の技術は、スキャナ（ＲＧＢ色空間）で均等配置となるＬＵＴを生成する際、まずデバイス非依存のＬａｂ色空間を均等分割した場合の各格子点のＬａｂ画像を取得し、それをスキャナで読み込んだデータからＬａｂデータをＲＧＢデータへ変換するためのＬＵＴを生成し、全格子点のＲＧＢデータを補間演算により得る。そして、そのＬＵＴに基づいてＲＧＢ色空間を均等分割した各格子点のＲＧＢデータに対するＬａｂデータを演算し、ＲＧＢ色空間を均等分割した各格子点のＬＵＴを生成している。この方法は、Ｌａｂ色空間を均等分割した場合の各格子点のＬａｂ画像を取得するところからスタートすることにより、ＬａｂデータをＲＧＢデータに変換する際の補間誤差（予測誤差）を低減している。
【０００６】
また、特許文献２記載の技術は、まず入力色空間で均等分割した場合の各格子点のカラーパッチ画像を出力して、これを測色して素データを取得した後、その素データの中から目標色に最も近い点を検索し、その点が含まれる立方体を特定する。そして、その立方体内部の全てのＲＧＢデータに対応するＬａｂデータを補間演算により求め、そのＬａｂデータから目標のＬａｂデータを検索して、それに対応するＲＧＢデータをＬＵＴに格納することによりＬＵＴを生成している。
【先行技術文献】
【特許文献】
【０００７】
【特許文献１】特許第３４６６６７７号公報
【特許文献２】特開２００２−６４７１９号公報
【発明の概要】
【発明が解決しようとする課題】
【０００８】
本発明は、色再現の精度を向上させることができる色補正係数を生成する色補正係数生成装置、色補正係数生成プログラム、及び画像形成装置を提供することを目的とする。
【課題を解決するための手段】
【０００９】
上記目的を達成するために、請求項１記載の発明の色補正係数生成装置は、色補正対象であるデバイスの色空間である第１の色空間を複数の第１の領域に均等分割したときの各第１の領域の格子点の第１の色データと、当該第１の色データに対応する、前記第１の色空間と異なる第２の色空間における第２の色データと、の対応関係を表わす第１の対応データを取得する取得手段と、前記第２の色空間を複数の第２の領域に均等分割したときの各第２の領域の格子点の第３の色データを生成する色データ生成手段と、前記第１の対応データに基づいて、前記各第２の領域の格子点の第３の色データに対応する、前記第１の色空間における第４の色データを各々求める演算手段と、前記第４の色データに基づく色票画像を生成する色票画像生成手段と、前記第４の色データと、前記色票画像生成手段により生成された色票画像の前記色補正対象であるデバイスでの出力画像を測色した前記第２の色空間における第５の色データと、の対応関係を表わす第２の対応データに基づいて、前記第１の色空間における色データを補正するための色補正係数を算出する色補正係数算出手段と、を備えたことを特徴とする。
【００１０】
請求項２記載の発明は、前記第２の対応データを記憶する記憶手段をさらに備え、前記取得手段は、前記記憶手段から読み出した前記第２の対応データを前記第１の対応データとして取得することを特徴とする。
【００１１】
請求項３記載の発明は、前記色補正係数算出手段は、前記第１の対応データ及び前記第２の対応データに基づいて、前記色補正係数を算出することを特徴とする。
【００１２】
請求項４記載の発明は、前記色票画像生成手段は、前記第１の色データの色票画像をさらに生成し、前記色補正係数算出手段は、前記第２の対応データと、前記色票画像生成手段により生成された前記第１の色票画像の前記色補正対象であるデバイスでの出力画像を測色した前記第２の色空間における第６の色データと、に基づいて、前記第１の色空間における色データを補正するための色補正係数を算出することを特徴とする。
【００１３】
請求項５記載の発明は、前記色票画像生成手段は、前記第１の色データと前記第４の色データとの平均データの色票画像を生成し、前記色補正係数算出手段は、前記第４の色データと、前記色票画像生成手段により生成された色票画像の前記色補正対象であるデバイスでの出力画像を測色した前記第２の色空間における第７の色データと、の対応関係を表わす第３の対応データに基づいて、前記第１の色空間における色データを補正するための色補正係数を算出することを特徴とする。
【００１４】
請求項６記載の発明は、前記第２の領域の格子点の数の制限値を設定する制限値設定手段をさらに備え、前記色データ生成手段は、前記第２の領域の格子点の数が前記制限値以下となるように、前記第２の色空間を複数の第２の領域に分割し、当該分割した各第２の領域の格子点の第３の色データを生成することを特徴とする。
【００１５】
請求項７記載の発明は、前記色データ生成手段は、前記第２の色データで表わされる前記第２の色空間における色域の各頂点を結ぶ線を均等分割することにより前記色域を前記複数の第２の領域に分割し、当該分割した各第２の領域の格子点の第３の色データを生成することを特徴とする。
【００１６】
請求項８記載の発明は、前記色データ生成手段は、前記第２の色空間の各色成分軸を均等分割することにより前記第２の色空間を前記複数の第２の領域に分割し、当該分割した各第２の領域の格子点の第３の色データを生成することを特徴とする。
【００１７】
請求項９記載の発明は、前記色票画像生成手段は、前記第２の色データで表わされる前記第２の色空間の色域の外郭上の外郭点に対応する前記第１の色空間における色データの色票画像をさらに生成することを特徴とする。
【００１８】
請求項１０記載の発明の色補正係数生成プログラムは、コンピュータを、請求項１〜請求項９の何れか１項に記載の色補正係数生成装置を構成する各手段として機能させることを特徴とする。
【００１９】
請求項１１記載の画像形成装置は、前記請求項１〜請求項９の何れか１項に記載の色補正係数生成装置と、前記色補正係数生成装置の前記色票画像生成手段により生成された色票画像を記録媒体上に形成する画像形成手段と、を備えたことを特徴とする。
【発明の効果】
【００２０】
請求項１記載の発明によれば、本構成を有さない場合と比較して、色再現の精度を向上させることができる色補正係数を生成することができる、という効果を有する。
【００２１】
請求項２記載の発明によれば、第２の対応データを記憶する記憶手段を有さない場合と比較して、第２の対応データを取得するための処理コストを省くことができる、という効果を有する。
【００２２】
請求項３記載の発明によれば、第２の対応データのみに基づいて色補正係数を算出する場合と比較して、第１の色空間から第２の色空間への色再現精度に加え、第２の色空間から第１の色空間への色再現精度も向上させることができる、という効果を有する。
【００２３】
請求項４記載の発明によれば、第４の色データに基づく色票画像のみを生成する場合と比較して、補正対象となるデバイスの現状の最新の色出力状態を示すデータを取得することができる、という効果を有する。
【００２４】
請求項５記載の発明によれば、第４の色データに基づく色票画像のみを生成する場合と比較して、補正に用いる色データの数を削減することができる、という効果を有する。
【００２５】
請求項６記載の発明によれば、制限値設定手段を有さない場合と比較して、格子点の数を自由に設定することができる、という効果を有する。
【００２６】
請求項７記載の発明によれば、本構成を有さない場合と比較して、色域の外郭上の外郭点を別途求めなくてもよい、という効果を有する。
【００２７】
請求項８記載の発明によれば、本構成を有さない場合と比較して、容易に第２の色空間を均等分割することができる、という効果を有する。
【００２８】
請求項９記載の発明によれば、本構成を有さない場合と比較して、色再現の精度を向上させることができる、という効果を有する。
【００２９】
請求項１０記載の発明によれば、本構成を有さない場合と比較して、色再現の精度を向上させることができる色補正係数を生成することができる、という効果を有する。
【００３０】
請求項１１記載の発明によれば、本構成を有さない場合と比較して、色再現の精度を向上させることができる色補正係数を生成することができる、という効果を有する。
【図面の簡単な説明】
【００３１】
【図１】色補正係数生成装置の機能ブロック図である。
【図２】ＣＭＹ色空間を示す図である。
【図３】Ｌａｂ色空間の均等分割の方法について説明するための図である。
【図４】Ｌａｂ色空間の均等分割の方法について説明するための図である。
【図５】第１実施形態に係る色補正係数生成処理のフローチャートである。
【図６】第２実施形態に係る色補正係数生成処理のフローチャートである。
【図７】第３実施形態に係る色補正係数生成処理のフローチャートである。
【図８】第４実施形態に係る色補正係数生成処理のフローチャートである。
【図９】均等分割したＣＭＹ色空間の格子点と均等分割したＬａｂ色空間の格子点との対応について説明するための図である。
【図１０】色補正係数生成装置の機能ブロック図である。
【発明を実施するための形態】
【００３２】
（第１実施形態）
以下、本発明の第１実施形態について説明する。
【００３３】
図１には、本実施形態に係る色補正係数生成装置１０の概略ブロック図を示した。なお、本実施形態では、例えばプリンタ等の色補正対象である対象デバイスに依存した色空間であってＣＭＹ（シアン、マゼンダ、イエロー）の３色成分で表わされるＣＭＹ色空間を第１の色空間とし、デバイスに非依存の色空間であってＬ＊、ａ＊、ｂ＊で明度、彩度、色相を表わすＬａｂ色空間を第２の色空間とした場合について説明するが、第１の色空間及び第２の色空間はこれに限られるものではない。例えば対象デバイスをディスプレイ等の表示デバイスとした場合には、この表示デバイスに依存した色空間であってＲＧＢ（赤、緑、青）の３色成分で表わされるＲＧＢ色空間等が用いられる。
【００３４】
図１に示すように、色補正係数生成装置１０は、素データ取得部１２、格子点データ生成部１４、色データ演算部１６、色票画像生成部１８、色補正係数算出部２０、記憶部２２、及び制限値設定部２４を含んで構成されている。
【００３５】
素データ取得部１２は、図２に示すように、ＣＭＹ色空間のＣＭＹの各軸を均等分割することにより得られる複数の第１の領域２６の各格子点２８の第１の色データ（Ｃ，Ｍ，Ｙ）と、各格子点２８の第１の色データに対応する第２のＬａｂ色空間における第２の色データ（Ｌ＊、ａ＊、ｂ＊）との対応関係を表わす素データ（第１の対応データ）を取得する。
【００３６】
この素データは、対象デバイスの色再現範囲を示すものであればよい。例えば、最初は予め定めた素データが用いられる。
【００３７】
格子点データ生成部１４は、素データ取得部１２で取得した素データに基づいて、例えば図３に示すように、Ｌａｂ色空間のＬａｂの各軸を均等分割することにより得られる複数の第２の領域３０の各格子点２８の第３の色データ（Ｌ＊、ａ＊、ｂ＊）、すなわち格子点データを生成する。
【００３８】
なお、図２に示すように、ＣＭＹの各軸を均等分割する際の分割数を例えば８とした場合には、各軸に９個の格子点が作成されるので、９×９×９＝７２９個の格子点が作成されるが、各軸の分割数、すなわち格子点の数についてはこれに限られるものではない。
【００３９】
また、図３の例では、Ｌａｂ色空間のＬａｂの各軸を均等分割することにより複数の第２の領域３０に分割しているが、例えば図４に示すように、第２の色データで表わされるＬａｂ色空間における色域３２の各頂点、すなわち白（最高明度）、黒（最低明度）、Ｃ、Ｍ、Ｙ、Ｒ、Ｇ、Ｂの６色の最大彩度の点を結ぶ線を均等分割することにより、色域３２を複数の第２の領域３０に分割するようにしてもよい。
【００４０】
また、格子点の数は、制限値設定部２４により設定された制限値以下に制限するようにしてもよい。ユーザーが制限値設定部２４により格子点の数の制限値を設定した場合には、格子点データ生成部１４は、格子点の数が制限値以下となるように、Ｌａｂ色空間のＬａｂの各軸を均等分割する分割数を設定する。
【００４１】
色データ演算部１６は、素データに基づいて、第２の領域３０の各格子点２８の第３の色データに対応する、ＣＭＹ色空間における第４の色データ（Ｃ、Ｍ、Ｙ）を各々求める。
【００４２】
色票画像生成部１８は、第４の色データに基づく色票画像を生成する。生成した色票画像は、色補正対象である対象デバイスとしての画像出力部３４に出力される。この画像出力部３４は、例えば電子写真方式やインクジェット方式の画像形成装置等が適用される。      
【００４３】
なお、図３に示すようにＬａｂ色空間のＬａｂの各軸を均等分割することにより得られる複数の第２の領域３０に分割した場合には、色票画像生成部１８は、色域３２の外郭上の外郭点に対応するＣＭＹ色空間における色データの色票画像をさらに生成することが好ましい。
【００４４】
画像出力部３４は、色票画像生成部１８で生成されたＣＭＹ色空間における色票画像を記録用紙等に出力（印刷）する。記録用紙等に出力された色票画像は、測色部３６によって測色される。
【００４５】
測色部３６は、ＣＭＹ色空間における色票画像を測色し、Ｌａｂ色空間における色データ（測色データ）を取得し、色補正係数算出部２０に出力する。
【００４６】
色補正係数算出部２０は、色データ演算部１６により演算された第４の色データと、測色部３６により測色された測色データ（第５の色データ）と、の対応関係を表わす第２の対応データを生成し、この第２の対応データに基づいて、ＣＭＹ色空間における色データを補正するための色補正係数を算出する。また、色補正係数算出部２０は、第２の対応データを記憶部２２に記憶する。
【００４７】
次に、本実施形態の作用として、色補正係数生成装置１０で実行される色補正係数生成処理について、図５に示すフローチャートを参照して説明する。
【００４８】
まず、ステップ１００では、素データ取得部１２が、ＣＭＹ色空間を均等分割した複数の第１の領域２６の各格子点２８の第１の色データ（Ｃ，Ｍ，Ｙ）と、各格子点２８の第１の色データに対応する第２のＬａｂ色空間における第２の色データ（Ｌ＊、ａ＊、ｂ＊）との対応関係を表わす素データ（均等分割ＣＭＹ→Ｌａｂデータ）を取得する。例えば記憶部２２に予め定めた素データを記憶しておき、最初は記憶部２２に記憶された予め定めた素データを読み出すことにより取得する。
【００４９】
ステップ１０２では、格子点データ生成部１４が、素データ取得部１２で取得した素データに基づいて、図３又は図４に示すようにＬａｂ色空間を均等分割することにより得られる複数の第２の領域３０の各格子点２８の第３の色データ（Ｌ＊、ａ＊、ｂ＊）、すなわち格子点データを生成する。
【００５０】
なお、ユーザーが制限値設定部２４により格子点の数の制限値を設定している場合には、格子点データ生成部１４は、格子点の数が制限値以下となるように、Ｌａｂ色空間を均等分割する。
【００５１】
ステップ１０４では、色データ演算部１６が、素データに基づいて、第２の領域３０の各格子点２８の第３の色データに対応する、ＣＭＹ色空間における第４の色データ（Ｃ、Ｍ、Ｙ）を各々求める（予測する）。この第３の色データに対応する第４の色データの求め方（予測方法）は、種々公知の手法を用いることができるが、例えば特開平１０−２６２１５７号公報に記載されたような、最小自乗法を用いた重み付き回帰分析等を用いることができる。
【００５２】
ステップ１０６では、色票画像生成部１８が、第４の色データに基づく色票画像を生成する。なお、図３に示すようにＬａｂ色空間のＬａｂの各軸を均等分割することにより得られる複数の第２の領域３０に分割した場合には、色域３２の外郭上の外郭点に対応するＣＭＹ色空間における色データの色票画像をさらに生成する。
【００５３】
生成した色票画像は、色補正対象である対象デバイスとしての画像出力部３４に出力される。これにより、画像出力部３４は、色票画像生成部１８で生成されたＣＭＹ色空間における色票画像を記録用紙等に印刷する。記録用紙等に出力された色票画像は、測色部３６によって測色される。
【００５４】
ステップ１０８では、色補正係数算出部２０が、測色部３６により測色されたＬａｂ色空間における測色データを入力する。
【００５５】
ステップ１１０では、色補正係数算出部２０が、色データ演算部１６により演算された第４の色データと、入力された測色された測色データと、の対応関係を表わす第２の対応データを生成し、この第２の対応データに基づいて、ＣＭＹ色空間における色データを補正するための色補正係数を算出すると共に、生成した第２の対応データを記憶部２２に記憶する。この色補正係数の算出方法は、種々公知の手法を用いることができるが、例えば特開平１０−２６２１５７号公報に記載されたような、最小自乗法を用いた重み付き回帰分析等を用いることができる。
【００５６】
なお、次回本ルーチンを実行する場合には、ステップ１００では、記憶部２２に記憶された第２の対応データを読み出し、これを素データとして取得する。これにより、現状の対象デバイスに対応した素データが取得される。
【００５７】
（第２実施形態）
次に、本発明の第２実施形態について説明する。なお、第１実施形態と同一部分については同一符号を付し、詳細な説明は省略する。本実施形態では、色補正係数生成装置１０の構成は第１実施形態と同一であるため、その説明は省略する。
【００５８】
次に、本実施形態の作用として、色補正係数生成装置１０で実行される色補正係数生成処理について、図６に示すフローチャートを参照して説明する。なお、図５に示すフローチャートと異なる処理を行うステップについては符号の末尾に‘Ａ’を付した。
【００５９】
図６に示す処理が図５に示す処理と異なるのは、色補正係数算出部２０が行うステップ１１０Ａの処理であり、その他のステップ１００〜１０８は図５に示す処理と同様であるので、説明は省略する。
【００６０】
ステップ１１０Ａでは、色補正係数算出部２０が、色データ演算部１６により演算された第４の色データと、入力された測色された測色データと、の対応関係を表わす第２の対応データを生成し、この第２の対応データとステップ１００で取得した素データとに基づいて、ＣＭＹ色空間における色データを補正するための色補正係数を算出すると共に、生成した第２の対応データを記憶部２２に記憶する。
【００６１】
すなわち、本実施形態では、色補正係数算出部２０は、第２の対応データだけではなく、ステップ１００で取得した素データも用いて、ＣＭＹ色空間における色データを補正するための色補正係数を算出する。また、ステップ１００で取得した素データが過去に実行した色補正係数生成処理のステップ１０６で得られた測色データである場合には、現状のデバイスの状態が反映された色補正係数が算出される。
【００６２】
この色補正係数の算出方法としては、前述した特開平１０−２６２１５７号公報に記載されたような最小自乗法を用いた重み付き回帰分析が用いられる。
【００６３】
（第３実施形態）
次に、本発明の第３実施形態について説明する。なお、第１実施形態と同一部分については同一符号を付し、詳細な説明は省略する。本実施形態では、色補正係数生成装置１０の構成は第１実施形態と同一であるため、その説明は省略する。
【００６４】
次に、本実施形態の作用として、色補正係数生成装置１０で実行される色補正係数生成処理について、図７に示すフローチャートを参照して説明する。なお、図５に示すフローチャートと異なる処理を行うステップについては符号の末尾に‘Ａ’を付した。
【００６５】
図７に示す処理が図５に示す処理と異なるのは、色票画像生成部１８が行うステップ１０６Ａの処理であり、その他のステップ１００〜１０４、１０８、１１０は図５に示す処理と同様であるので、説明は省略する。
【００６６】
ステップ１０６Ａでは、色票画像生成部１８が、第４の色データに基づく色票画像だけでなく、ステップ１００で取得した素データの第１の色データの色票画像も生成する。ここで、ステップ１００で取得した素データが過去に実行した色補正係数生成処理のステップ１０６Ａで得られた測色データである場合には、現状のデバイスの状態が反映された色票画像が生成される。
【００６７】
なお、図３に示すようにＬａｂ色空間のＬａｂの各軸を均等分割することにより得られる複数の第２の領域３０に分割した場合には、色域３２の外郭上の外郭点に対応するＣＭＹ色空間における色データの色票画像をさらに生成する。
【００６８】
生成した色票画像は、色補正対象である対象デバイスとしての画像出力部３４に出力される。これにより、画像出力部３４は、色票画像生成部１８で生成されたＣＭＹ色空間における色票画像を記録用紙等に印刷する。記録用紙等に出力された色票画像は、測色部３６によって測色される。
【００６９】
（第４実施形態）
次に、本発明の第４実施形態について説明する。なお、第１実施形態と同一部分については同一符号を付し、詳細な説明は省略する。本実施形態では、色補正係数生成装置１０の構成は第１実施形態と同一であるため、その説明は省略する。
【００７０】
次に、本実施形態の作用として、色補正係数生成装置１０で実行される色補正係数生成処理について、図８に示すフローチャートを参照して説明する。なお、図５に示すフローチャートと異なる処理を行うステップについては符号の末尾に‘Ｂ’を付した。
【００７１】
図８に示す処理が図５に示す処理と異なるのは、色票画像生成部１８が行うステップ１０６Ｂの処理であり、その他のステップ１００〜１０４、１０８、１１０は図５に示す処理と同様であるので、説明は省略する。
【００７２】
ステップ１０６Ｂでは、色票画像生成部１８が、対応する格子点の第４の色データと、ステップ１００で取得した素データの第１の色データと、の平均値を求め、この平均値の色票画像を生成する。この場合、格子点を対応させるために、前述した図４のように、Ｌａｂ色空間における色域の各頂点を結ぶ線を均等分割する。また、図９に示すように、第４の色データに対応するＬａｂ色空間における色域３２の格子点２８の数と、第１の色データに対応するＬａｂ色空間の格子点の数とを一致させておく。すなわち、ステップ１００における均等分割したＣＭＹ色空間の格子点数と、ステップ１０４における均等分割したＬａｂ色空間の格子点数とを一致させておく。
【００７３】
これにより、図９に示すように、第４の色データの格子点２８Ａと第１の色データの格子点２８Ｂとが一対一に対応する。そして、これらの平均値を各格子点について求め、求めた平均値の色票画像を生成することにより、第３実施形態の場合よりも色票画像の数が少なくなる。
【００７４】
ここで、ステップ１００で取得した素データが過去に実行した色補正係数生成処理のステップ１０６Ｂで得られた測色データである場合には、現状のデバイスの状態が反映された色票画像が生成される。
【００７５】
生成した色票画像は、色補正対象である対象デバイスとしての画像出力部３４に出力される。これにより、画像出力部３４は、色票画像生成部１８で生成されたＣＭＹ色空間における色票画像を記録用紙等に印刷する。記録用紙等に出力された色票画像は、測色部３６によって測色される。
【００７６】
なお、図１に示した色補正係数生成装置１０を、例えば図１０に示したようなコンピュータを用いた装置としてもよい。
【００７７】
図１０に示すコンピュータ装置４０は、マイクロコンピュータ４２、モニタ４４、操作部４６、及びハードディスク４８等を含んで構成されている。
【００７８】
マイクロコンピュータ４２は、ＣＰＵ（Central Processing Unit）４２Ａ、例えばＯＳ等の基本プログラム等が記憶されたＲＯＭ（Read Only Memory）４２Ｂ、各種データを一時的に記憶するＲＡＭ（Random Access Memory）４２Ｃ、データを書き換え可能で電源が供給されなくてもデータを保持することができる不揮発性メモリ４２Ｄ、及び入出力インタフェース（Ｉ／Ｏ）４２Ｅがバス４２Ｆを介して各々接続された構成となっている。
【００７９】
Ｉ／Ｏ４２Ｅには、モニタ４４、操作部４６、及びハードディスク４８等が接続されている。この場合、例えばハードディスク６０や不揮発性メモリ４２Ｄは記憶部２２として機能し、ＣＰＵ４２Ａは、素データ取得部１２、格子点データ生成部１４、色データ演算部１６、色票画像生成部１８、及び色補正係数算出部２０として機能し、操作部４６は制限値設定部２４として機能する。
【００８０】
例えば、上記各実施形態で説明した色補正係数生成処理のプログラムは、ハードディスク４８又は不揮発性メモリ４２Ｄに記憶される。
【００８１】
この場合、マイクロコンピュータ５２のＣＰＵ４２Ａがハードディスク４８又は不揮発性メモリ４２Ｄに記憶された色補正係数生成処理のプログラムを読み込んで実行することにより、コンピュータ装置４０が色補正係数生成装置１０として機能する。
【符号の説明】
【００８２】
１０  色補正係数生成装置
１２  素データ取得部（取得手段）
１４  格子点データ生成部（色データ生成手段）
１６  色データ演算部（演算手段）
１８  色票画像生成部（色票画像生成手段）
２０  色補正係数算出部（色補正係数算出手段）
２２  記憶部（記憶手段）
２４  制限値設定部（制限値設定手段）
２６  第１の領域
２８  格子点
３０  第２の領域
３２  色域
３４  画像出力部
３６  測色部
４０  コンピュータ装置
４２  マイクロコンピュータ
４４  モニタ
４６  操作部
４８  ハードディスク
【図１】
2010219685.tif 000003
【図２】
2010219685.tif 000004
【図３】
2010219685.tif 000005
【図４】
2010219685.tif 000006
【図５】
2010219685.tif 000007
【図６】
2010219685.tif 000008
【図７】
2010219685.tif 000009
【図８】
2010219685.tif 000010
【図９】
2010219685.tif 000011
【図１０】
2010219685.tif 000012